(57)【特許請求の範囲】
【請求項１】
主走査方向に長い互いに異なる色用の複数の素子列が副走査方向に所定のライン分のピッチで互いに平行に配置された構造を有するイメージセンサから得られる各色の画像データの補正処理を行う画像処理装置であって、
前記各色のうちの１色を基準色として他の色の画像データについて前記副走査方向における前記基準色との素子列間の位置ずれに起因する位相ずれの１ライン分未満を補正するものであって前記基準色を互いに異にする複数のライン間補正手段と、
前記複数のライン間補正手段ごとに出力される前記各色の画像データから平均値を求めて、補正された画像データとして、色ごとに出力する補正出力手段と、
を有してなることを特徴とする画像処理装置。
【請求項２】
主走査方向に長いＲ，Ｇ，Ｂ用の各素子列が副走査方向に所定のライン分のピッチで互いに平行に配置されたイメージセンサから得られるＲ，Ｇ，Ｂの各色の画像データの補正処理を行う画像処理装置であって、
Ｒ，Ｇ，Ｂのうちの１色を基準色として他の色の画像データについて副走査方向における前記基準色との素子列間の位置ずれに起因する位相ずれの１ライン分未満を補正するものであって前記基準色を互いに異にする複数のライン間補正手段と、
前記複数のライン間補正手段ごとに出力される前記各色の画像データの平均値を色ごとに求め、補正された画像データとして出力する補正出力手段と、
を有してなることを特徴とする画像処理装置。
【発明の詳細な説明】
【０００１】
【発明の属する技術分野】
本発明は、ディジタル式のカラー複写機などに搭載される画像処理装置に関し、詳しくは、縮小型のカラーＣＣＤセンサなどにおける副走査方向のＲ，Ｇ，Ｂ間の位置ずれを補正するライン間補正処理に関する。
【０００２】
【従来の技術】
カラー複写機などの画像読み取り部は、例えば特開平９−２６１４９１号公報に記載されているように、光学系を介して原稿画像を縮小投影した情報を縮小型のカラーＣＣＤセンサで読み取るものが、コスト面の有利さから一般的である。縮小型のカラーＣＣＤセンサは、図１２に示すように、画素が主走査方向に並べられたＲ（赤）、Ｇ（緑）、Ｂ（青）それぞれの素子列が、副走査方向に所定間隔ｄを隔てて互いに平行に配置された構造を有する。
【０００３】
上記のようなカラーＣＣＤセンサを用いて画像の読み取りを行う場合には、原稿とＣＣＤセンサとが機械的に相対移動する方向である副走査方向でのＲ，Ｇ，Ｂの位置ずれ（間隔ｄ）に起因して、ＣＣＤセンサから得られるＲ，Ｇ，Ｂ各色の画像信号の間に時間的なずれ、つまり位相ずれが生ずる。
【０００４】
Ｒ，Ｇ，Ｂ間の位相ずれ（以下「位置ずれ」ともいう）を補正するために、最初に生ずるＲ出力画像データを間隔２ｄ（例えば８ライン分）に相当する時間だけ遅延させ、次に生ずるＧ出力画像データを間隔ｄ（例えば４ライン分）に相当する時間だけ遅延させることにより、最後に生ずるＢ出力画像データと位相をあわせる補正処理が行われる。
【０００５】
また、例えば縮小・拡大機能を有するカラー複写機において副走査方向の走査速度が変化する場合のように、原稿画像を縮小投影する変倍率が変化すると、Ｒ，Ｇ，Ｂ間の位相ずれが１ライン分の整数倍とならずに、端数（小数部）が生ずる場合がある。このような場合は、補間処理によってＲ，Ｇ，Ｂ間の位相ずれをできるだけ正確に補正する必要がある。つまり、補正後の位置がライン間のある位置となった場合に、その位置における各色の濃度の値を、両側のライン上における値の加重平均によって求める。
【０００６】
【発明が解決しようとする課題】
しかしながら、上記のようなカラーＣＣＤセンサを用いた場合のＲ，Ｇ，Ｂ間の位相ずれの補正において、補間処理による小数部の補正を行うと、黒細線の再現性が悪くなる場合がある。これは、黒細線を縮小投影したものが例えば１ドット幅に近くなった場合に、上記の補間処理を行うと、Ｒ，Ｇ，Ｂ各色の読み取り特性のバランスが大きく崩れることが原因であると考えられる。
【０００７】
したがって、補正の基準となった色以外について、その濃度のレベルが低くなる。その結果、黒細線が、緑がかったり赤味を帯びたりし、その再現性が低下するのである。
【０００８】
本発明は、上述の問題に鑑みてなされたもので、素子列間の位相ずれの補正をできるだけ正確に行うとともに、黒細線の再現性を高めることのできる画像処理装置を提供することを目的とする。
【０００９】
【課題を解決するための手段】
請求項１の発明に係る画像処理装置は、図２に示すように、主走査方向に長い互いに異なる色用の複数の素子列が副走査方向に所定のライン分のピッチで互いに平行に配置された構造を有するイメージセンサから得られる各色の画像データの補正処理を行う画像処理装置であって、前記各色のうちの１色を基準色として他の色の画像データについて前記副走査方向における前記基準色との素子列間の位置ずれに起因する位相ずれの１ライン分未満を補正するものであって前記基準色を互いに異にする複数のライン間補正手段１５Ｒ，１５Ｇ，１５Ｂと、前記複数のライン間補正手段ごとに出力される前記各色の画像データから平均値を求めて、補正された画像データＲＯＵＴ，ＧＯＵＴ，ＢＯＵＴとして、色ごとに出力する補正出力手段と、を有してなる。１ライン未満の補正は、通常、補間処理によって行われる。
【００１０】
請求項２の発明に係る画像処理装置において、イメージセンサの各素子列からは、Ｒ，Ｇ，Ｂの各色の画像信号が出力され、ライン間補正手段１５Ｒ，１５Ｇ，１５Ｂは、Ｒ，Ｇ，Ｂの各色を補正における基準色としてライン補正処理を行う。補正出力手段１５Ａは、各色毎の画像データについての平均値を求めて出力する。
【００１１】
【発明の実施の形態】
図１は本発明に係る画像処理装置Ｍ１の全体構成を示すブロック図、図２はライン間補正部１５の構成を示すブロック図である。
【００１２】
図１において、光学系を介して原稿画像を縮小投影した情報が、縮小型のカラーのＣＣＤセンサ１２により読み取られる。得られたＲ，Ｇ，Ｂの各色の画像信号は、Ａ／Ｄ変換器１３に入力される。Ａ／Ｄ変換器１３は、アナログ信号であるＲ，Ｇ，Ｂの画像信号を８ビットのディジタルデータ（２５６階調の濃度データ）であるＲ，Ｇ，Ｂの画像データに変換する。得られたＲ，Ｇ，Ｂの画像データは、シェーディング補正部１４によって、主走査方向の光量むらを補正するシェーディング補正が施された後、ライン間補正部１５に入力される。
【００１３】
ライン間補正部１５は、ＣＣＤセンサ１２のＲ，Ｇ，Ｂの各ライン間の位置ずれに起因する画像信号（画像データ）の位相ずれを補正する回路である。
図２に示すように、ライン間補正部１５には、Ｒ，Ｇ，Ｂのそれぞれを基準色とした３つのライン間補正回路１５Ｒ，１５Ｇ，１５Ｂ、及び、それらから出力される画像データについて各色毎に平均値を求めて補正された画像データを出力する補正出力部１５Ａが設けられている。各ライン間補正回路１５Ｒ，Ｇ，Ｂでは、フィールドメモリを用いて、それぞれ基準色以外の画像データを遅延させることにより補正を行う。具体的な回路構成については後述する。
【００１４】
図１に戻って、ライン間補正部１５から出力されたＲ，Ｇ，Ｂの画像データは、色収差補正部１６にてレンズ系の色収差に起因する色ずれが補正される。さらに、変倍用ラインメモリを含む変倍・移動処理部１７にて、変倍率に応じた主走査方向の拡大・縮小処理が施される。
【００１５】
変倍・移動処理部１７から出力された画像データは、色変換部１８に入力され、Ｒ，Ｇ，Ｂ間の調整が行われた後、色補正部１９にてＲＧＢ系（加色系）の画像データからＣＭＹ系（減色系）の画像データＣ（シアン）、Ｍ（マゼンタ）、Ｙ（イエロー）、Ｂｋ（ブラック）に変換される。Ｃ，Ｍ，Ｙ，Ｂｋの画像データは、ＭＴＦ補正部２０にてエッジ強調、スムージングなどの処理を施された後、プリンタインターフェイス２１を介してプリンタ部に与えられる。
【００１６】
また、色変換部１８から出力されたＲ，Ｇ，Ｂの画像データは、領域判別部２２にも与えられ、読み取られた画像が、網点画像か、文字画像か、又は写真画像かといった判別が、領域判別部２２で行われる。その判別結果がＭＴＦ補正部２０に与えられることにより、ＭＴＦ補正部２０はその領域の画像の種類に応じて、エッジ強調、スムージングなどの補正処理を施すか否かを切り換える。
【００１７】
なお、領域判別部２２からは、上に述べた判別結果を示す信号の他に、黒文字領域、内エッジ、外エッジ、黒エッジ補正量などを示す信号が出力される。
また、図示は省略したが、画像処理装置Ｍ１には、基準駆動パルス発生部、ラインバッファ部、ヒストグラム生成部、及びＡＣＳ判定部などが設けられている。基準駆動パルス発生部は、ＣＣＤセンサ１２を始めとして各部の処理に必要なクロック信号を発生する。ラインバッファ部は、ＣＣＤセンサ１２で読み取ったＲ，Ｇ，Ｂの各色の画像データを１ライン分記憶する。ヒストグラム生成部は、予備スキャンで得られるＲ，Ｇ，Ｂの各色の画像データから明度データを生成し、そのヒストグラムをメモリ上に作成する。ＡＣＳ判定部は、彩度データによって１ドット毎にカラードットか否かを判定し、原稿上で５１２ドット四方のブロック領域毎のカラードット数をカウントしてカラー領域であるかモノクロ領域であるかを判定する。
【００１８】
また、現在読み取り中の画像がほぼ１ドット幅の黒細線であるか否かを検出する１ドット幅黒細線検出部が設けられることもある。このような１ドット幅黒細線検出部は、シェーディング補正部１４から出力されるＢ画像データと、ライン間補正部１５から出力されるＲ画像遅延データＲＭＤ及びＧ画像遅延データＧＭＤとに基づいて、ＣＣＤセンサ１２に投影された画像情報における現在処理中の画像部分が１ドット幅黒細線か否かを判断する。この判断結果は、例えば領域判別部２２に出力される。
【００１９】
なお、画像処理装置Ｍ１において、各部の配置の順番、つまり画像データに対する処理を行う順番は、上に述べた以外に種々変更することができる。
図３はライン間補正回路１５Ｇのブロック図、図４は補間演算部３８の構成の例を示すブロック図、図５はリセット信号ＲＥＳ及び各出力画像データのタイミングの例を示す図である。
【００２０】
なお、ここで説明するライン間補正回路１５Ｇは、Ｇ（緑）を基準色とする補正回路である。Ｒ（赤）を基準色とするライン間補正回路１５Ｒ、及びＢ（青）を基準色とするライン間補正回路１５Ｂについては、その基本的な構成及び動作がライン間補正回路１５Ｇと同一であるので、ここでの具体的な説明は省略する。
【００２１】
図３において、信号ＲＩＮ，ＢＩＮ，ＧＩＮは、それぞれＲ（赤）、Ｂ（青）、Ｇ（緑）の画像データ入力である。これらの画像データ入力ＲＩＮ，ＢＩＮ，ＧＩＮは、第１補正部３０で整数ライン分の遅延補正が施され、第２補正部３１で端数（小数）分の補間処理が施されて、画像データ出力Ｒ１，Ｂ１，Ｇ１となる。
【００２２】
第１補正部３０は、フィールドメモリ３３〜３５を用いて、画像データ入力ＲＩＮ及びＧＩＮを画像データ入力ＢＩＮに対して遅延させる。つまり、従来技術の説明で述べたように、画像データ入力ＲＩＮをＣＣＤセンサ１２の副走査方向でのＲ素子列とＢ素子列との間の間隔（素子列間隔）２ｄに相当する時間だけ遅延させるとともに、画像データ入力ＧＩＮをＣＣＤセンサ１２の副走査方向でのＧ素子列とＢ素子列との間の素子列間隔ｄに相当する時間だけ遅延させる。素子列間隔ｄは、両素子列間においてずれたライン数で表される。本実施形態では、Ｇ素子列とＢ素子列との素子列間隔ｄは「４」であり、Ｒ素子列とＢ素子列との素子列間隔２ｄは「８」である。
【００２３】
フィールドメモリ３３〜３５は、画像データを複数のライン単位で遅延させるために用いられている。例えば、各フィールドメモリ３３〜３５が２５６ＫＢｙｔｅの記憶容量を有し、１ライン当たりの各色の画像データ容量が５ＫＢｙｔｅ（５，０００画素分）とすれば、１フィールドメモリ当たり５１ライン分の画像データを遅延させることができる。
【００２４】
図３に示すように、画像データ入力ＲＩＮは、シリアル接続された２つのフィールドメモリ３３，３４によって１０２ライン分まで遅延することができ、画像データ入力ＧＩＮは、１つのフィールドメモリ３５によって５１ライン分まで遅延させることができる。
【００２５】
その場合に、実際の遅延量は、各フィールドメモリ３３〜３５のリードリセット端子ＲＲＥＳ及びライトリセット端子ＷＲＥＳに与えられるリセット信号のタイミングを制御することによって行われる。なお、各信号の符号の先頭に付された「−」は負論理信号であることを意味し、本説明中では「−」を省略して記す。他の図とその説明についても同様である。
【００２６】
各フィールドメモリ３３〜３５は、ライトリセット端子ＷＲＥＳにリセット信号が与えられると、入力データを書き始め、リードリセット端子ＲＲＥＳにリセット信号が与えられると、蓄積されたデータの出力を始める。したがって、ライトリセット端子ＷＲＥＳにリセット信号が与えられてからリードリセット端子ＲＲＥＳにリセット信号が与えられるまでの期間が遅延量となる。
【００２７】
フィールドメモリ３３及び３５のライトリセット端子ＷＲＥＳにはリセット信号ＲＥＳ０が与えられ、リードリセット端子ＲＲＥＳにはリセット信号ＲＥＳ１が与えられる。また、フィールドメモリ３４のライトリセット端子ＷＲＥＳにはリセット信号ＲＥＳ１が与えられ、リードリセット端子ＲＲＥＳにはリセット信号ＲＥＳ２が与えられる。したがって、画像データ入力ＲＩＮはシリアル接続された２つのフィールドメモリ３３，３４によってリセット信号ＲＥＳ０からリセット信号ＲＥＳ２までの期間だけ遅延し、画像データ入力ＧＩＮはフィールドメモリ３５によってリセット信号ＲＥＳ０からリセット信号ＲＥＳ１までの期間だけ遅延する。画像データ入力ＢＩＮは、遅延なしで第２補正部３１に渡される。
【００２８】
図５において、Ｂ画像データに対してｎライン遅れでＧ画像遅延データＧＭＤが得られ、更にｎライン遅れでＲ画像遅延データＲＭＤが得られる様子が示されている。ｎの値、つまり、リセット信号ＲＥＳ０からリセット信号ＲＥＳ１までの遅延時間に相当するライン数は、素子列間隔に変倍率を掛けた値の整数部（ｉｎｔ）である。等倍の場合は素子列間隔そのもの、例えば４ラインであるが、例えば変倍率が０．６の場合は、４×０．６＝２．４の整数部２となる。実際には、この値に１を加えたものを最終的な遅延量（ライン数）としている。これは、後述する第２補正部３１における補間処理を容易にするためである。リセット信号ＲＥＳ０からリセット信号ＲＥＳ２までの遅延時間に相当するライン数についても同様に、素子列間隔に変倍率を掛けた値の整数部（ｉｎｔ）の２倍に１を加えたものを最終的な遅延量（ライン数）としている。
【００２９】
上記のようにして、得られたＲ遅延画像データ及びＧ遅延画像データは遅延していないＢ画像データと共に第２補正部３１に与えられる。第２補正部３１は、Ｇ遅延画像データについては補正処理を行わずにそのまま画像データ出力Ｇ１として出力し、Ｒ遅延画像データ及びＢ画像データについてはＧ遅延画像データを基準として補間処理を施す。
【００３０】
第２補正部３１は、Ｒ遅延画像データ及びＢ画像データのそれぞれについて、画像データを１ライン分遅延させるためのＦＩＦＯメモリ（フィールドメモリともいう）３６，３７と補間演算部３８，３９を有する。補間演算部３８のＡ入力端子にはＲ遅延画像データＲn が入力され、Ｂ端子にはＦＩＦＯメモリ３６で１ライン分更に遅延したＲ遅延画像データＲn-1 が入力される。また、Ｋ端子にはＣＰＵなどから補間係数αが入力される。補間演算部３８は、補間係数αを用いて後述の式にしたがってデータＲn とデータＲn-1 との補間データＲn ’を演算する。
【００３１】
一方、補間演算部３９のＡ入力端子にはＦＩＦＯメモリ３７で１ライン分遅延したＢ画像データＢn-1 が入力され、Ｂ端子には遅延前のＢ画像データＢn が入力される。また、Ｋ端子には補間係数αが入力される。補間演算部３９は、補間係数αを用いて後述の式にしたがってデータＢn とデータＢn-1 との補間データＢn ’を演算する。
【００３２】
補間係数αは、素子列間隔に変倍率を掛けたときの端数（小数部）であり、上述の例では、素子列間隔「４」に変倍率が０．６を掛けた値２．４の小数部０．４である。したがって、補間係数αは下記の式から求められる。
【００３３】
【数１】
α＝素子列間隔×変倍率−ｉｎｔ（素子列間隔×変倍率）
ただし、ｉｎｔ（  ）は、（  ）の数値の整数部を抽出する演算子である。
【００３４】
この補間係数αを用いて、補間演算後のＲ及びＢの画像データ、すなわち補間データＲn ’及びＢn ’は下記の式から求められる。
【００３５】
【数２】
0003709733.tif 000002
【００３６】
【数３】
0003709733.tif 000003
【００３７】
上記の式（数２及び数３）において、第（ｎ−１）ラインのデータと第ｎラインのデータとに掛けられる係数α又は（α−１）が、Ｒ画像データとＢ画像データとで逆になっている。これに関連して、図３に示すように、補間演算部３８，３９のＡ端子及びＢ端子に入力される画像データとその１ライン分遅延データとの関係が、Ｒ画像データ用の補間演算部３８とＢ画像データ用の補間演算部３９とで逆になっている。これは、前述のように、ＣＣＤセンサ１２においてＧ素子列を挟んでＲ素子列とＢ素子列とが前後に配置されている構造を有するからである。つまり、式（数２及び数３）の関係を模式的に示すと図６のようになる。
【００３８】
図６において、Ｒn ，Ｒn-1 ，Ｂn ，Ｂn-1 の位置が固定とすれば、補間係数αの値が０から１まで変化すると、Ｇn は位置がＢn-1 （Ｒn ）側からＢn （Ｒn-1 ）側まで変化する。前述のように、第１補正部３０において、Ｂ画像データに比べてＲ画像データを１ライン余分に遅延させているが、この、第２補正部３１での補間演算によって、その１ライン分が補償され、Ｒ，Ｇ，Ｂそれぞれの画像データの位相が揃うことになる。
【００３９】
上記のようにして、第１補正部３０での整数ライン分の位置ずれ補正に加えて第２補正部３１での小数部の補間処理を行うことにより、より詳細な色ずれ補正を行うことができる。
【００４０】
しかしながら、小数部の補間処理は、前後のラインにおける濃度の加重平均をとるものであるから、例えば１ドット幅細線の場合には、その濃度がこの補間処理により大きく低下する。このため、黒細線の場合に、Ｒ，Ｇ，Ｂ各色の濃度のバランスが崩れ、再現性が悪くなることがある。これについて図７を用いて説明する。
【００４１】
図７は１ドット幅黒細線の場合のＲ，Ｇ，Ｂ各画像データの位相と濃度とを模式的に示す図である。
図７において、（ａ）はライン間補正回路１５Ｇによる補正前の状態を示している。（ｂ）は変倍率が等倍の場合、つまり補正係数αが０の場合における補正後のＲ，Ｇ，Ｂ各画像データの位置（位相）と濃度を示している。この場合に、第２補正部３１での小数部の補間処理は実際上行われないので、各画像データの濃度低下は無く、第１補正部３０での整数ライン分の位置ずれ補正のみが行われることになる。
【００４２】
図７の（ｃ）は変倍率が等倍ではなく、補正係数αが０にならない場合において、ライン間補正部１５の第１補正部３０及び第２補正部３１の両方による補正が行われたときのＲ，Ｇ，Ｂ各画像データの位相と濃度を示している。この場合に、基準となるつまり補間処理の行われないＧ画像データの濃度が変化しないのに対して、Ｒ及びＢの画像データの濃度が補間処理によって大きく低下している。この結果、そのままでは各色の濃度のバランスが大きく崩れ、黒細線の再現性が悪くなる。
【００４３】
図１０は細線の場合の補正による濃度値の変化の様子を示す図、図１１は細線でない場合の補正による濃度値の変化の様子を示す図である。
これらの図でわかるように、基準色に対してずれた画像データは、補正を行うことによって濃度値が低下することが分かる。
【００４４】
そこで、本実施形態においては、図２に示すように、Ｒ（赤）、Ｂ（青）、Ｇ（緑）の各色を基準色とした３つのライン間補正回路１５Ｒ，１５Ｇ，１５Ｂによってそれぞれ補間処理を行い、補正出力部１５Ａにより、それらから出力される画像データの各色毎の平均値を求めるのである。
【００４５】
図２において、補正出力部１５Ａは、ライン間補正回路１５Ｒ，１５Ｇ，１５Ｂから出力される画像データについて、各色毎に平均値を求め、画像データＲＯＵＴ，ＧＯＵＴ，ＢＯＵＴを出力する。すなわち、
ＲＯＵＴ＝（Ｒ０＋Ｒ１＋Ｒ２）／３
ＧＯＵＴ＝（Ｇ０＋Ｇ１＋Ｇ２）／３
ＢＯＵＴ＝（Ｂ０＋Ｂ１＋Ｂ２）／３
図８は補正出力部１５Ａの構成の例を示すブロック図、図９は補正出力部１５Ａの動作を説明するための図である。
【００４６】
図８に示すように、補正出力部１５Ａは、３つの加算器１５１〜１５３、及び３つの除算器（乗算器）１５４〜１５６によって構成することができる。
図９では、Ｒ，Ｇ，Ｂの各色の濃度値が全く等しい場合、つまり無彩色を理想的に読み取った場合の画像データが示されている。このうち、図９（Ａ）にはＲを基準色として補正された画像データＲ０，Ｇ０，Ｂ０が、図９（Ｂ）にはＧを基準色として補正された画像データＲ１，Ｇ１，Ｂ１が、図９（Ｃ）にはＢを基準色として補正された画像データＲ２，Ｇ２，Ｂ２が、図９（Ｄ）にはそれらの平均値の画像データＲＯＵＴ，ＧＯＵＴ，ＢＯＵＴが示されている。この例では、平均された後の３つの画像データＲＯＵＴ，ＧＯＵＴ，ＢＯＵＴは、互いに同一となる。
【００４７】
このように、Ｒ，Ｇ，Ｂのそれぞれを基準色とした３つのライン間補正回路１５Ｒ，１５Ｇ，１５Ｂから出力される画像データについて、各色毎に平均値を求め、これによってライン間補正が施された画像データを得ているので、ＣＣＤセンサ１２の素子列間の位相ずれの補正を正確に行うことができ、しかも、Ｒ，Ｇ，Ｂの各色の濃度のバランスが維持される。その結果、黒細線の再現性を高めることができる。
【００４８】
上述の実施形態において、素子列間隔ｄを「４」とし、素子列間隔２ｄを「８」としたが、例えば、素子列間隔ｄを「８」、素子列間隔２ｄを「１６」とするなど、これら以外の数値とし、又は整数でない数値としてもよい。３つのライン間補正回路１５Ｒ，１５Ｇ，１５Ｂから出力される画像データの平均値を求めたが、加重係数を用いたり、２乗平均を行ったりしてもよい。また、２つのライン間補正回路からの画像データに基づいて補正された画像データを得てもよい。
【００４９】
上述の実施形態において、ライン間補正部１５及びライン間補正回路１５Ｒ，１５Ｇ，１５Ｂなどは、ハードウエア回路によってハード的に、プログラムをＣＰＵにより実行することによってソフト的に、又はそれらの組み合わせにより、それぞれ実現することができる。その他、ライン間補正部１５又は画像処理装置Ｍ１の各部又は全体の構成、処理内容、処理順序などは、本発明の趣旨に沿って適宜変更することができる。
【００５０】
【発明の効果】
本発明によると、素子列間の位相ずれの補正をできるだけ正確に行うとともに、黒細線の再現性を高めることができる。
【図面の簡単な説明】
【図１】本発明の実施形態に係る画像処理装置の全体構成を示すブロック図である。
【図２】ライン間補正部の構成を示すブロック図である。
【図３】ライン間補正回路のブロック図である。
【図４】補間演算部の構成の例を示すブロック図である。
【図５】リセット信号及び各出力画像データのタイミングの例を示す図である。
【図６】ライン間補正回路の第２補正部による小数部補間処理を説明するための模式図である。
【図７】１ドット幅黒細線の場合の各色の画像データの位相と濃度とを模式的に示す図である。
【図８】補正出力部の構成の例を示すブロック図である。
【図９】補正出力部の動作を説明するための図である。
【図１０】細線の場合の補正による濃度値の変化の様子を示す図である。
【図１１】細線でない場合の補正による濃度値の変化の様子を示す図である。
【図１２】縮小型のカラーＣＣＤセンサの構造を示す模式図である。
【符号の説明】
Ｍ１  画像処理装置
１２  ＣＣＤセンサ（イメージセンサ）
１５  ライン間補正部
１５Ｒ，１５Ｇ，１５Ｂ  ライン間補正回路（ライン間補正手段）
１５Ａ  補正出力部（補正出力手段）
【図１】
0003709733.tif 000004
【図２】
0003709733.tif 000005
【図３】
0003709733.tif 000006
【図４】
0003709733.tif 000007
【図５】
0003709733.tif 000008
【図６】
0003709733.tif 000009
【図７】
0003709733.tif 000010
【図８】
0003709733.tif 000011
【図９】
0003709733.tif 000012
【図１０】
0003709733.tif 000013
【図１１】
0003709733.tif 000014
【図１２】
0003709733.tif 000015